(57)【要約】【課題】マスク及びアイカバーの交換にかかるコストを抑止でき、着用場所に応じた態様でマスクを適宜着用できるアイカバー付きマスクを提供すること。【解決手段】口や鼻を被覆するシート部４、及びシート部４の左右両端部から夫々延びて掛けられる一対の掛け部５，５から成るマスク２に、目を被覆するアイカバー３が取付けられるアイカバー付きマスク１において、アイカバー３とシート部４とに、互いに着脱自在に係合する係合部８，８及び係合部６，６が夫々設けられることで、マスク２及びアイカバー３のうちいずれか一方が使用できない状態になっても、他方の状態に関わらず、一方のみを交換することができるため、マスク２及びアイカバー３の交換にかかるコストを抑止できる。【選択図】図５
2010279637.tif 000002
【特許請求の範囲】
【請求項１】
口や鼻を被覆するシート部、及び該シート部の左右両端部から夫々延びて耳若しくは頭に掛けられる一対の掛け部から成るマスクに、目を被覆するアイカバーが取付けられるアイカバー付きマスクであって、
前記アイカバーと前記シート部とに、互いに着脱自在に係合する係合部が夫々設けられていることを特徴とするアイカバー付きマスク。
【請求項２】
前記アイカバーは、顔面に沿って撓曲可能な撓曲部材から構成されており、
前記アイカバーの係合部は、該アイカバーの左右両端部に夫々設けられているとともに、
前記シート部の係合部は、該シート部の左右両端部における前記一対の掛け部が延びる延設位置を含むその近傍位置に夫々設けられていることを特徴とする請求項１に記載のアイカバー付きマスク。
【請求項３】
前記アイカバーの係合部と前記シート部の係合部とは、互いに対し回動可能に枢着されていることを特徴とする請求項１または２に記載のアイカバー付きマスク。
【請求項４】
前記アイカバーの左右両端部は、該アイカバーの中央部に対し、夫々後方に折曲して構成されていることを特徴とする請求項１ないし３のいずれかに記載のアイカバー付きマスク。
【請求項５】
前記アイカバーの下端部には、該アイカバーの中央に向かって上方に凹設され、鼻先との当接を回避する凹設部が形成されており、
前記アイカバーの係合部と前記シート部の係合部とは、前記凹設部が前記シート部の上端部よりも下方に配置される位置に設けられていることを特徴とする請求項１ないし４のいずれかに記載のアイカバー付きマスク。
【発明の詳細な説明】
【技術分野】
【０００１】
本発明は、口や鼻を被覆するシート部、及びシート部の左右両端部から夫々延びて耳若しくは頭に掛けられる一対の掛け部から成るマスクに、目を被覆するアイカバーが取付けられるアイカバー付きマスクに関する。
【背景技術】
【０００２】
従来のアイカバー付きマスクは、シート部の左右両端部に掛け部が設けられたマスクと、シート部に固定に接着されているアイカバーと、を備えており、このアイカバー付きマスクにより、飛散した飛沫などが口や目の中に入ることで感染することが防止される（例えば、特許文献１参照）。
【先行技術文献】
【特許文献】
【０００３】
【特許文献１】登録実用新案第３０２２３６３号公報（第６頁、第１図）
【発明の概要】
【発明が解決しようとする課題】
【０００４】
しかしながら、特許文献１に記載のアイカバー付きマスクにあっては、アイカバーがシート部に固定に接着されているため、マスクまたはアイカバーのうち一方が使用できなくなると、他方の状態に関わらず、両方を交換しなければならなく、マスク及びアイカバーの交換にかかるコストが嵩むといった問題がある。また、アイカバーがシート部に固定に接着されているため、例えば、眼鏡を装着している場合や、人同士が比較的離間している等によりアイカバーの必要性が比較的低い場所においても、マスクとともにアイカバーを着用しなければならないという不具合が生じていた。
【０００５】
本発明は、このような問題点に着目してなされたもので、マスク及びアイカバーの交換にかかるコストを抑止でき、着用場所に応じた態様でマスクを適宜着用できるアイカバー付きマスクを提供することを目的とする。
【課題を解決するための手段】
【０００６】
前記課題を解決するために、本発明のアイカバー付きマスクは、
口や鼻を被覆するシート部、及び該シート部の左右両端部から夫々延びて耳若しくは頭に掛けられる一対の掛け部から成るマスクに、目を被覆するアイカバーが取付けられるアイカバー付きマスクであって、
前記アイカバーと前記シート部とに、互いに着脱自在に係合する係合部が夫々設けられていることを特徴としている。
この特徴によれば、アイカバーとシート部とに、互いに着脱自在に係合する係合部が夫々設けられていることで、例えば、眼鏡の装着若しくはマスクの着用場所等、状況に応じてマスクのみの使用もできるばかりか、マスク及びアイカバーのうちいずれか一方が使用できない状態になっても、他方の状態に関わらず、一方のみを交換することができるため、交換にかかるコストを抑止できる。
【０００７】
本発明のアイカバー付きマスクは、
前記アイカバーは、顔面に沿って撓曲可能な撓曲部材から構成されており、
前記アイカバーの係合部は、該アイカバーの左右両端部に夫々設けられているとともに、
前記シート部の係合部は、該シート部の左右両端部における前記一対の掛け部が延びる延設位置を含むその近傍位置に夫々設けられていることを特徴としている。
この特徴によれば、アイカバーの係合部が左右両端部に夫々設けられているとともに、シート部の係合部が、一対の掛け部が延びる延設位置を含むその近傍位置に夫々設けられているため、一対の掛け部を耳若しくは頭に掛けてマスクを装着することで、撓曲部材から構成されたアイカバーの左右両端部が耳若しくは頭側に夫々引っ張られて撓曲し、アイカバーの左右両端に亘って顔面に近接した状態で装着されるため、顔面の上下左右方向からの飛沫等の進入を極力回避できる。
【０００８】
本発明のアイカバー付きマスクは、
前記アイカバーの係合部と前記シート部の係合部とは、互いに対し回動可能に枢着されていることを特徴としている。
この特徴によれば、両係合部を互いに対し回動することで、アイカバーとシート部とが両係合部を介して回動できることになり、アイカバー若しくはシート部の装着位置を、装着者の頭骨形状や他の装着物に応じて適宜調整できる。
【０００９】
本発明のアイカバー付きマスクは、
前記アイカバーの左右両端部は、該アイカバーの中央部に対し、夫々後方に折曲して構成されていることを特徴としている。
この特徴によれば、アイカバーの左右両端部は、中央部に対し夫々後方に折曲していることで、アイカバーの左右両端部がより顔面に近接して装着されることになり、顔面の左右方向からの飛沫等の進入を確実に回避できる。
【００１０】
本発明のアイカバー付きマスクは、
前記アイカバーの下端部には、該アイカバーの中央に向かって上方に凹設され、鼻先との当接を回避する凹設部が形成されており、
前記アイカバーの係合部と前記シート部の係合部とは、前記凹設部が前記シート部の上端部よりも下方に配置される位置に設けられていることを特徴としている。
この特徴によれば、アイカバーとシート部の係合部同士を係合することで、アイカバーの下端部に鼻先との当接を回避する凹設部が、シート部の上端部よりも下方に配置されるため、凹設部とシート部の上端部とに上下方向の隙間が生じることなく、飛沫等の進入を回避できる。
【図面の簡単な説明】
【００１１】
【図１】実施例におけるアイカバー付きマスクを装着した状態を示す斜視図である。
【図２】図１と同じく側面図である。
【図３】アイカバー付きマスクを示す背面図である。
【図４】（ａ）は、マスクの突出部を示す説明図あり、（ｂ）は、アイカバーの折曲部の下端部を示す説明図である。
【図５】図１と同じく平面図である。
【発明を実施するための形態】
【００１２】
本発明に係るアイカバー付きマスクを実施するための形態を実施例に基づいて以下に説明する。
【実施例】
【００１３】
実施例に係るアイカバー付きマスクにつき、図１から図５を参照して説明する。以下、図２の紙面左側及び図５の紙面下側をアイカバー付きマスクの正面側（前方側）として説明する。
【００１４】
先ず図１の符号１は、本発明の適用されたウィルス等を含む飛沫感染防止用のアイカバー付きマスクである。このアイカバー付きマスク１は、ウィルス等を含む飛沫が口腔や鼻孔の中に入ることを防止するマスク２に、同じく飛沫が目の中に入ることを防止するアイカバー３が取付けられることで構成されている。
【００１５】
図１及び図３に示されるように、マスク２は、口や鼻を被覆するシート部４と、このシート部４の左右両端部から延びて耳に掛けられる一対の耳掛け部５，５と、から成る。
【００１６】
図３及び図５に示されるように、掛け部としての耳掛け部５，５は、紐状に形成されており、ゴム等の弾性部材からなる。この耳掛け部５，５の一端部５ａ，５ａは、シート部４の左右両端部の上端部（後述の突出部４ｃ，４ｃ）に夫々取付けられているとともに、他端部５ｂ，５ｂは、シート部４の左右両端部の下端部に夫々取付けられている。尚、掛け部として、前記した耳掛け部５，５に替えて、例えば、シート部の左右両端部から夫々延びた２本の紐の両端を後頭部で結んで取付ける頭掛け部、若しくはシート部の左右両端部に夫々端部が取付けられた環状の紐を後頭部で張設して取付ける頭掛け部を採用してもよい。
【００１７】
シート部４の材質は、強度、肌触り、通気性、及びフィルタ性等を考慮した化学繊維等から成る不織布で構成されている。図３に示されるように、シート部４の下部には、上下方向に折込まれた折込部４ａが形成されており、シート部４を上下方向に引いたときに、折込部４ａが上下方向に伸長し、シート部４全体が前方に膨らんだ状態に広げられるようになっている。このため、口がシート部４と当接することがなく、呼吸を楽にできる（図１参照）。
【００１８】
シート部４の左右両端部における折込部４ａの上方位置には、シート部４の中央側における一端部のみが固着されるシート片７，７が夫々設けられており、装着されたマスク２を取外す際、シート片７，７の他端部を摘むことで、手指が外気に触れたシート片７，７の前面等に触れることなく、マスク２を取外すことができるようになっている。
【００１９】
シート部４の上端部における中央部は、上方に湾曲する湾曲部４ｂとして形成されており、この上端部の左右両端部には、上方に突出する突出部４ｃ、４ｃが夫々形成されている。この突出部４ｃ，４ｃには、アイカバー３を着脱自在に取付けるための係合部６，６（図５一点鎖線囲い部Ｇ参照）が設けられている。具体的には、係合部６，６は、一対の耳掛け部５，５の一端部５ａ，５ａがシート部４に取付けられる位置、すなわちシート部４の左右両端部における一対の耳掛け部５，５が延びる延設位置に設けられている。
【００２０】
図４（ａ）に示されるように、夫々の係合部６は、内方に貫通孔６ｄが形成された円形形状を成しており、貫通孔６ｄの外方側の外周部６ａは、周方向に略等間隔に形成された複数のスリット孔６ｃを備えている。
【００２１】
複数のスリット孔のうち図示上下のスリット孔６ｃ，６ｃは、耳掛け部５が挿通される。具体的には、耳掛け部５の一端部５ａは、図示上側のスリット孔６ｃに図示紙面手前側から図示紙面奥側に向かって挿通され、次に図示上側のスリット孔６ｃ挿通された一端部５ａが、スリット孔６ｃに図示紙面奥側から図示紙面手前側に向かって挿通される。この挿通の後、一端部５ａと、耳掛け部５における図示上側のスリット孔６ｃに挿通されていない箇所と、を一体的に突出部４ｃに取付けることで、係合部６がシート部４に対して固定される。
【００２２】
図３〜図５に示されるように、アイカバー３は、顔面に沿って撓曲可能な撓曲部材であって、この撓曲部材の材質は、ポリカーボネート等の合成樹脂である。また、アイカバー３の左右両端部は、アイカバー３の中央部３ａに対し後方に折曲する折曲部３ｂ，３ｂとして形成されている。
【００２３】
このように、折曲部３ｂ，３ｂは、中央部３ａに対し夫々後方に折曲していることで、折曲部３ｂ，３ｂがより顔面に近接して装着されることになり、顔面の左右方向からの飛沫等の進入を確実に回避できる。特に、アイカバー３の材質は合成樹脂であるため、所定の箇所に線状の折り目を付けることにより、容易に折曲部を形成できる。
【００２４】
尚、本実施例では、折曲部３ｂ，３ｂが、中央部３ａに対し夫々後方に折曲しているアイカバー３を適用しているが、これに限らず、例えば、左右両端部から中央部に向かって前方に湾曲するアイカバーを適用してもよく、このような構成でも上記と同様の効果が得られる。
【００２５】
図１（ｂ）に示されるように、折曲部３ｂ，３ｂの下端部には、係合部６，６と着脱自在に係合する係合部８，８が設けられている。図４（ｂ）に示されるように、夫々の係合部８は、貫通孔６ｄと嵌合する膨出部８ａを有している（図５一点鎖線囲い部Ｇ参照）。
【００２６】
また、図５に示されるように、膨出部８ａは、貫通孔６ｄに対して回動可能に嵌合されるようになっている。すなわち、アイカバー３の係合部８，８とシート部４の係合部６，６とは、互いに対し回動可能に枢着されている。このため、図２に示されるように、アイカバー３とマスク２のシート部４とは、両係合部を介して回動できる（図示一点鎖線参照）。よって、アイカバー３とシート部４とを相対回動することで、アイカバー３若しくはシート部４の装着位置を、装着者の頭骨形状や他の装着物に応じて適宜調整することができる。例えば、アイカバー３をシート部４に対し前方に回動し、目に対し離間させることで、他の装着物として眼鏡を掛けた人が、当該眼鏡を掛けた状態のままアイカバー付きマスク１を装着することも可能である。
【００２７】
前述したように、シート部４の係合部６，６は、このシート部４における一対の耳掛け部５、５が延びる延設位置に夫々設けられており、このシート部４の係合部６，６に係合するように、アイカバー３の係合部８，８が折曲部３ｂ，３ｂの下端部に夫々設けられているため、一対の耳掛け部５、５を耳に夫々掛けてマスク２を装着することで、図５に示されるように、撓曲部材から構成されるアイカバー３の折曲部３ｂ，３ｂが耳側に夫々引っ張られて撓曲し、アイカバー３の折曲部３ｂ，３ｂに亘って顔面に近接した状態で装着されるため、顔面の上下左右方向から飛沫等が目に進入することを極力回避することができる。
【００２８】
特に、一対の耳掛け部５、５、が耳側、つまり後方に夫々引っ張られることで、膨出部８ａが貫通孔６ｄに貫通する方向、すなわちアイカバー３の係合部８，８とシート部４の係合部６，６とが係合する係合方向を示す仮想の係合軸Ｆ，Ｆが夫々略左右方向を向いた状態になり、この状態でアイカバー３の係合部８，８及びシート部４の係合部６，６が位置決めされる。
【００２９】
このように、アイカバー３の係合部８，８とシート部４の係合部６，６との係合方向が略左右方向を向いた状態で位置決めされることで、アイカバー３とマスク２のシート部４とは、両係合部を介して確実に前後方向に回動することができる（図２参照）。
【００３０】
更に、前述したように、アイカバー３の折曲部３ｂ，３ｂは、中央部３ａに対し夫々後方に折曲し、且つ、アイカバー３は、顔面に沿って撓曲可能な撓曲部材から構成されているため、アイカバー３の中央部３ａを折曲部３ｂ，３ｂよりも前方に配置してアイカバーを装着することができ、中央部３ａが、目に対する近接位置を維持し、目に当接してしまうことを回避することができる。
【００３１】
尚、本実施例では、シート部４の係合部６，６は、このシート部４における一対の耳掛け部５、５が延びる延設位置に夫々設けられているが、これに限らず、例えば、シート部の係合部は、シート部における一対の耳掛け部が延びる延設位置の近傍位置に設けられてもよく、このような構成でも上記と同様の効果を奏する。特に、シート部４の係合部６，６は、耳掛け部５、５が延びる延設位置の延長線上に設けると、耳掛け部５、５の引張りによる張力を効果的に利用して係合部６，６を位置決めできる。
【００３２】
図３に示されるように、中央部３ａの下端部には、アイカバー３の中央に向かって上方に凹設され、鼻先との当接を回避する凹設部３ｃが形成されている。この凹設部３ｃが前述のシート部４の湾曲部４ｂよりも下方に配置されるように、シート部４の係合部６，６は、延設位置に夫々設けられているとともに、アイカバー３の係合部８，８は、折曲部３ｂ，３ｂの下端部に夫々設けられている。
【００３３】
このように、アイカバー３の係合部８，８とシート部４の係合部６，６とを係合することで、中央部３ａの下端部に鼻先との当接を回避する凹設部３ｃが、シート部４の湾曲部４ｂよりも下方に配置されるため、凹設部３ｃとシート部４の湾曲部４ｂとに上下方向の隙間が生じることなく、飛沫等の進入を回避できる。
【００３４】
以上に説明したように、実施例のアイカバー付きマスク１において、アイカバー３とシート部４とに、互いに着脱自在に係合するアイカバー３の係合部８，８及びシート部４の係合部６，６が夫々設けられることで、例えば、眼鏡の装着等、状況に応じてマスクのみの使用もできるばかりか、マスク２及びアイカバー３のうちいずれか一方が使用できない状態になっても、他方の状態に関わらず、一方のみを交換することができるため、交換にかかるコストを抑止できる。また、アイカバー付きマスク１の着用場所に応じてアイカバー３を適宜着脱してもよく、例えば人同士が比較的離間している広い空間の場所においては、アイカバー３を取外したマスク２のみの態様で着用でき、混雑した電車内など人同士が密集した狭い空間の場所においては、当該マスク２にアイカバー３を取付けた態様で着用することで、目を介した飛沫の進入を回避できる。更に、アイカバー付きマスク１の使用後、アイカバー３をマスク２から取外して、例えば、アイカバー３をマスク２に重ね、これら重ねたアイカバー３及びマスク２を収納袋等にコンパクトに収納することで、使用後のアイカバー付きマスク１の携帯が容易である。特に、アイカバー３とマスク２とは、収納時には略同等の平面積に形成されるため、アイカバー３をマスク２に重ねることで収納面積を抑えることができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、アイカバー付きマスク１はウィルス等を含む飛沫感染防止用として適用されているが、アイカバー付きマスクの用途はこれに限らず、アイカバー付きマスクは花粉対策用や化学実験用として適用されてもよい。
【００３７】
また、前記実施例では、マスク２は、シート部４と、このシート部４と別体の一対の耳掛け部５，５と、から成っているが、マスクの構造はこれに限らず、例えば、シート部と耳掛け部とが一体に構成されたマスクであってもよい。
【００３８】
また、前記実施例では、アイカバー３の左右両端部である折曲部３ｂ，３ｂに係合部８，８が設けられるとともに、シート部４の左右両端部に形成された突出部４ｃ，４ｃに係合部６，６が設けられているが、係合部８，８及び係合部６，６の係合位置や係合数はこれに限らず、例えば、アイカバーの中央部の下部とシート部の湾曲部の近傍と、に係合部が夫々一つずつ設けられてもよい。
【符号の説明】
【００３９】
１                アイカバー付きマスク
２                マスク
３                アイカバー
３ａ              中央部
３ｂ，３ｂ        折曲部（左右両端部）
３ｃ              凹設部
４                シート部
４ｂ              湾曲部（シート部の上端部）
５，５            耳掛け部（掛け部）
６，６            係合部
８，８            係合部
【図１】
2010279637.tif 000003
【図２】
2010279637.tif 000004
【図３】
2010279637.tif 000005
【図４】
2010279637.tif 000006
【図５】
2010279637.tif 000007